(57)【要約】      （修正有）【課題】墓の納骨室内の効率よい換気を期待できる墓の納骨室の換気構造を提供する。【解決手段】前後左右の壁１８、１９を含む周壁と通孔４４を有する天壁２２で囲まれる納骨室１２と、納骨室１２の上に配置される台石部であり、内部が通孔４４を介して納骨室１２に連通する中空の台石部３０、３２と、台石部３２の上に配置される仏石３４と、外部と納骨室１２とを連通するように前壁１８に穿孔された１個又は複数の下部換気孔１４と、納骨室１２と台石部３０、３２の連通部分に設けられた通気路４６、４８と、台石部３２の少なくとも後、左、右のいずれかに外部と通気路４８とを連通するように穿孔された１個又は複数の上部換気孔１６と、を備えた墓の納骨室の換気構造１０から構成される。【選択図】図１
0003194023.tif 000002
【実用新案登録請求の範囲】
【請求項１】
前後左右の壁を含む周壁と通孔を有する天壁で囲まれる納骨室と、
納骨室の上に配置される台石部であり、内部が通孔を介して納骨室に連通する中空の台石部と、
台石部の上に配置される仏石と、
外部と納骨室とを連通するように前壁に穿孔された１個又は複数の下部換気孔と、
納骨室と台石部の連通部分に設けられた通気路と、
台石部の少なくとも後、左、右のいずれかに外部と通気路とを連通するように穿孔された１個又は複数の上部換気孔と、を備えたことを特徴とする墓の納骨室の換気構造。
【請求項２】
前後左右の壁を含む周壁と天壁で囲まれる納骨室と、
納骨室の上に配置される台石部と、
台石部の上に配置される仏石と、
外部と納骨室とを連通するように前壁に穿孔された１個又は複数の下部換気孔と、
下部換気孔より上方位置であって少なくとも後、左、右のいずれかの壁に穿孔された１個又は複数の上部換気孔と、を備えたことを特徴とする墓の納骨室の換気構造。
【請求項３】
納骨室の前壁は開閉自在な扉体が設けられ、
該扉体の下部に下部換気孔が設けられたことを特徴とする請求項２記載の墓の納骨室の換気構造。
【請求項４】
下部換気孔及び上部換気孔の外側には、それらの下部換気孔及び上部換気孔と内部連通状態で下向きに開口したフード状のカバー部材が取り付けられたことを特徴とする請求項１ないし３のいずれかに記載の墓の納骨室の換気構造。
【請求項５】
台石部又は周壁には、納骨室に採光するための採光用窓部が設けられたことを特徴とする請求項１ないし４のいずれかに記載の墓の納骨室の換気構造。
【考案の詳細な説明】
【技術分野】
【０００１】
本考案は、遺骨を納める納骨室の環境を良好に維持できる墓の納骨室の換気構造に関する。
【背景技術】
【０００２】
遺骨を納める納骨室を備えた墓では、納骨室内に遺骨をそのまま又は遺骨を入れた骨壷を納めて閉鎖される。しかし、閉鎖された納骨室では、空気の流れがなくて湿気が多く、寒暖差により結露が発生したり、石材どうしのわずかな隙間からの雨水が浸入したりして環境が悪いことから、カビや害虫が発生したり悪臭が発生したりしやすい。死者や先祖を供養する大事な墓としては、ジメジメして害虫が蔓延る悪い環境よりも湿気が少なく清潔感がある環境の方が好まれるとともに、湿気や水分による骨壷や石材の早期劣化を防止するために納骨室の環境改善する技術が望まれている。
【０００３】
従来より、墓の納骨室の湿気対策として納骨室を自然に換気するように該納骨室の周壁に換気孔を設ける技術が知られている。例えば、特許文献１には、納骨室を囲む納骨周壁の上部側に換気用口を設け、換気用口にその口を逆水止めにおいて通気可能に封じる換気装置を組み込んだ墓石納骨室の換気装置が提案されている。
【先行技術文献】
【特許文献】
【０００４】
【特許文献１】特開２００２−８１２２６号公報
【考案の概要】
【考案が解決しようとする課題】
【０００５】
しかしながら、特許文献１の墓石納骨室の換気装置では、納骨室を囲む側壁の上部側に換気孔を設けた構造であるから、換気孔が所定の高さ位置で一部のみに開口されているので納骨室内の一部分の空気のみしか換気されず一部の空気が納骨室内に滞留してしまい、納骨室内を十分に換気できないおそれがあった。
【０００６】
本考案は上記従来の課題に鑑みてなされたものであり、その一つの目的は、墓の納骨室内の効率よい換気を期待できる墓の納骨室の換気構造を提供することにある。
【課題を解決するための手段】
【０００７】
上記課題を解決するために本考案は、前後左右の壁１８〜２１を含む周壁と通孔４４を有する天壁２２で囲まれる納骨室１２と、納骨室１２の上に配置される台石部であり、内部が通孔４４を介して納骨室１２に連通する中空の台石部３０、３２と、台石部３２の上に配置される仏石３４と、外部と納骨室１２とを連通するように前壁１８に穿孔された１個又は複数の下部換気孔１４と、納骨室１２と台石部３０、３２の連通部分に設けられた通気路４６、４８と、台石部３２の少なくとも後、左、右のいずれかに外部と通気路４８とを連通するように穿孔された１個又は複数の上部換気孔１６と、を備えた墓の納骨室の換気構造１０から構成される。台石部は１個でもよいし、下台石部３０と上台石部３２とを上下に並べて設置することとしてもよい。
【０００８】
また、本考案は、前後左右の壁１８〜２１を含む周壁と天壁２２で囲まれる納骨室１２と、納骨室の上に配置される台石部３０、３２と、台石部３２の上に配置される仏石３４と、外部と納骨室１２とを連通するように前壁１８に穿孔された１個又は複数の下部換気孔１４と、下部換気孔１４より上方位置であって少なくとも後、左、右のいずれかの壁１９〜２１に穿孔された１個又は複数の上部換気孔１６と、を備えた墓の納骨室の換気構造から構成される。
【０００９】
また、納骨室の前壁１８は開閉自在な扉体６６が設けられ、該扉体６６の下部に下部換気孔が設けられたこととしてもよい。
【００１０】
また、下部換気孔１４及び上部換気孔１６の外側には、それらの下部換気孔１４及び上部換気孔１８と内部連通状態で下向きに開口したフード状のカバー部材５０が取り付けられたこととしてもよい。
【００１１】
また、台石部３２又は周壁１９〜２１には、納骨室に採光するための採光用窓部６１が設けられたこととしてもよい。
【考案の効果】
【００１２】
本考案の墓の納骨室の換気構造によれば、前後左右の壁を含む周壁と通孔を有する天壁で囲まれる納骨室と、納骨室の上に配置される台石部であり、内部が通孔を介して納骨室に連通する中空の台石部と、台石部の上に配置される仏石と、外部と納骨室とを連通するように前壁に穿孔された１個又は複数の下部換気孔と、納骨室と台石部の連通部分に設けられた通気路と、台石部の少なくとも後、左、右のいずれかに外部と通気路とを連通するように穿孔された１個又は複数の上部換気孔と、を備えたことから、上下の高さ位置を異ならせた下部換気孔と上部換気孔とにより納骨室内で対流を生じやすくし効率良く換気して該納骨室内の環境改善を期待できる。また、例えば、納骨室の一部が地下に設けられる半地下式の構造の墓であっても、下部換気孔と上部換気孔との上下高さ位置の差をある程度確保して納骨室内の効率よい換気を期待できる。
【００１３】
また、前後左右の壁を含む周壁と天壁で囲まれる納骨室と、納骨室の上に配置される台石部と、台石部の上に配置される仏石と、外部と納骨室とを連通するように前壁に穿孔された１個又は複数の下部換気孔と、下部換気孔より上方位置であって少なくとも後、左、右のいずれかの壁に穿孔された１個又は複数の上部換気孔と、を備えたことから、上下の高さ位置を異ならせた下部換気孔と上部換気孔とにより納骨室内で対流を生じやすくし効率良く換気して該納骨室内の環境改善を期待できる。
【００１４】
また、納骨室の前壁は開閉自在な扉体が設けられ、該扉体の下部に下部換気孔が設けられた構成とすることにより、例えば、地上式の墓において納骨室を開閉して簡単に納骨をできるように扉体を取り付けた構成でも下部換気孔と上部換気孔を設けることによる効率的な納骨室の自然換気を簡単な構造で具体的に実現できる。
【００１５】
また、下部換気孔及び上部換気孔の外側には、それらの下部換気孔及び上部換気孔と内部連通状態で下向きに開口したフード状のカバー部材が取り付けられた構成とすることにより、下部換気孔や上部換気孔を設けても、それらの換気孔から納骨室内への雨水の浸入を防止するとともに、外側から換気孔が目立たず、墓の意匠感を損ないにくい。
【００１６】
また、台石部又は周壁には、納骨室に採光するための採光用窓部が設けられた構成とすることにより、太陽光を採光して納骨室内を明るく照らすことができ、清潔でイメージのよい墓を提供することができる。
【図面の簡単な説明】
【００１７】
【図１】本考案の第１の実施形態に係る墓の納骨室の換気構造の説明図である。
【図２】図１の墓の納骨室の換気構造の正面図である。
【図３】図１の墓の納骨室の換気構造の側面図である。
【図４】図１の墓の納骨室の換気構造の納骨室周辺を概略で説明した斜視図である。
【図５】図２のＡ−Ａ線断面図の要部説明図である。
【図６】（ａ）図１の一部拡大説明図、（ｂ）換気孔を内側から見た拡大図である。
【図７】本考案の第２の実施形態に係る墓の納骨室の換気構造の説明図である。
【図８】図７の墓の納骨室の換気構造の正面図である。
【図９】図７の墓の納骨室の換気構造の側面図である。
【図１０】図７の墓の納骨室の換気構造の納骨室周辺を概略で説明した斜視図である。
【図１１】図８のＢ−Ｂ線断面拡大図の要部説明図である。
【考案を実施するための形態】
【００１８】
以下、添付図面を参照しつつ本考案の墓の納骨室の換気構造の実施の形態について説明する。本考案の墓の納骨室の換気構造は、例えば、納骨室内の空気の自然換気を促進し、納骨室を良環境に維持できるものである。図１ないし図６は、本考案の墓の納骨室の換気構造の第１の実施形態を示している。図１、図２、図３に示すように、本実施形態において、墓の納骨室の換気構造１０は、前後左右の壁１８〜２１を含む周壁と天壁２２とで囲まれる納骨室１２と、下台石部３０と、上台石部３２と、仏石３４と、納骨室１２の前壁に設けられる下部換気孔１４と、該下部換気孔１４より上方位置に設けられる上部換気孔１６と、を備えている。
【００１９】
本実施形態では、墓１は、図１、図２、図３に示すように、例えば、複数の墓石部材を組み付けて構成されており、納骨室１２の下部が地面ＧＬより下に凹設され、上部が地上側に設けられた半地下式納骨室となっている。墓１の最下段の周囲には、玉垣（外柵）２４が左右と後方側に略コ字状に設置されるとともに、墓１の前方側の地面上には参道貼石２６が敷設されている。
【００２０】
納骨室１２は、前後左右の４つの壁１８、１９、２０、２１を含む周壁で周囲が囲まれて納骨空間が形成されており、それぞれの壁１８〜２１の下部側は地面より下に埋設されて立設されている。なお、前壁１８は参道貼石から段上がり状の段差部分の面前遮蔽板となっている。納骨室１２の上方は、天壁２２によって閉鎖されている。納骨室１２の底側は地面が露出されている。納骨室１２内には、遺骨を入れた骨壷ＵＲを安置する棚板２８が設置されている。
【００２１】
墓１の天壁２２の上には、下台石部３０、上台石部３２、仏石３４が下から順番に配置されている。また、天壁２２と同一面内に貼石３６が設置されている。下台石部３０の前方側には、拝石３８が設置され、その拝石３８上に花立４０と香立４２がそれぞれ設置されている。
【００２２】
図１、図４、図６に示すように、納骨室１２の前壁１８には、納骨室１２内の納骨空間と外部とを連通する下部換気孔１４が穿孔されている。下部換気孔１４は、墓１において下部側で外部と納骨室との間で換気させるための第１の換気孔手段である。本実施形態では、前壁１８の地上側に突設された上部側、すなわち、参道貼石から段上がり状の段差の前面遮蔽部分に、２個が同じ高さ位置に並設されている。下部換気孔１４は、例えば、石材で形成された前壁１８を横方向に貫通して形成される。なお、下部換気孔１４は、墓の大きさや外部環境等に応じて１個のみ設けることとしてもよいし、３個以上設けることとしてもよい。
【００２３】
図１、図４、図５に示すように、納骨室１２の天壁２２には、下台石部３０の設置位置に対応して上下に貫通する通孔４４が形成されている。さらに、下台石部３０及びその上の上台石部３２は、中空に設けられており、該通孔４４を介して納骨室１２と連通する通気路４６、４８を形成している。上台石部３２には、その左右側面と後面側に外部と通気路４８とを連通するように横方向に貫通した上部換気孔１６が穿孔されている。
【００２４】
上部換気孔１６は、墓１において下部換気孔１４より高位置となる上部側で外部と納骨室との間で換気させるための第２の換気孔手段である。上部換気孔１６は、納骨室１２より上方に位置する上台石部３２に設けられており、下台石部３０及び上台石部３２の内部に設けられた通気路４６、４８を介して納骨室１２と内部連通している。よって、上部換気孔１６、通気路４６、４８、天壁２２の通孔４４によって、外部と納骨室１２とが連通されている。後面側に配置される上部換気孔１６は、下部換気孔１４とは平面視で前後方向に対向した位置関係に配置される。加えて左右両側にも上部換気孔１６が設けられており、下部換気孔１４が配置される面とは異なる面の複数箇所に上部換気孔１６が設けられている。本実施形態では、上部換気孔１６は、上台石部３２の左右と後面側にそれぞれ２個ずつ、合計６個が同じ高さ位置に設けられている。なお、本実施形態では、台石を上下２個の態様としたが台石は１個のみとしてもよい。また、上部換気孔１６は、墓の大きさや外部環境等に応じて、台石部の後又は左右のいずれかに１個だけ設けることとしてもよいし、それぞれに１個ずつ又は３個以上設けることとしてもよい。
【００２５】
図１、図２、図３に示すように、それぞれの下部換気孔１４及び上部換気孔１６の外側には、それらの換気孔をカバーするためのフード状のカバー部材５０が取り付けられている。図６（ａ）にも示すように、カバー部材５０は、下部換気孔１４、上部換気孔１６と内部連通する連通孔５２を有するとともに、フード状にそれらの孔をカバーした状態で、下向きに開口されている。よって、カバー部材５０は、外部から雨等が下部換気孔や上部換気孔を介して納骨室内に入るのを良好に規制又は防止できる。本実施形態では、カバー部材５０は、例えば、前後左右の壁１８〜２１等の墓石部材と同じ石材で設けられており、外形形状が略球状で後面側と下部側を平面に形成されている。カバー部材５０は、連通穴５２から下面側の平面部分に縦に貫通する複数の孔５４が穿孔されて下向き開口となっている。カバー部材５０は、後部に円盤状の基部５６が設けられるとともに後方に向けて管状の挿入部５８が突設されている。カバー部材５０は、該挿入部５８が下部換気孔１４又は上部換気孔１６に挿入されて基部を周壁や上台石に密着させた状態でコーキング剤により水密状にシールされて固定される。
【００２６】
一方、下部換気孔１４及び上部換気孔１６の内側の端部には、図１、図６（ａ）（ｂ）に示すように、虫やごみ等の侵入を防止するための網部材６０が装着されている。網部材６０は、例えば、下部換気孔１４又は上部換気孔１６に嵌挿されるフランジ付き筒部材の端部に金網又はネットが張られて設けられている。
【００２７】
さらに、図３、図４、図５に示すように、上台石部３２の左右と後面側には、光を内部に通すための採光用窓部６１が設けられている。採光用窓部６１は、例えば、上台石部３２を外部から通気路４８に向けて横方向に貫通した孔に、透光製のアクリル樹脂又はステンドグラス等を嵌め込んで接着剤で固定して水密されている。採光用窓部６１は、例えば、上台石の左右及び後面の各面において２個の上部換気孔１６の間に同じ高さ位置に配置されている。採光用窓部６１から入った光は上台石部３２の通気路４８と下台石部３０の通気路４６及び通孔４４を介して納骨室１２に入り、納骨室１２内を明かくすることができる。
【００２８】
本実施形態に係る墓の納骨室の換気構造１０は、上述のように納骨室１２内と外部とを連通する下部換気孔１４と上部換気孔１６とが上下の高さが異なる位置でかつ平面視で対向位置を含む異なる側面位置に設けられていることにより、例えば、納骨室１２内の暖かい空気は上部換気孔１６から出入りし、冷たい空気や湿気を含む重い空気は下部換気孔から出入りして、納骨室１２内に空気が滞りにくく、ファン等の機械を使用せずとも空気を対流させやすくして効率良い自然換気の促進を期待できる。その結果、長期間に亘って墓の納骨室内を良い環境に維持できる。
【００２９】
次に図７ないし図１１を参照しつつ本実施形態の墓の納骨室の換気構造の第２の実施形態について説明する。上記した第１実施形態と同一構成、同一部材には、同一符号を付し、その詳細な説明は省略する。本実施形態にかかる墓の納骨室の換気構造１０−２では、納骨室１２と下部換気孔１４と上部換気孔１６とを備えているが、墓１及び納骨室の構造などが上記実施形態とは異なっている。本実施形態では、図７、図８、図９に示すように、例えば、複数の墓石部材を組み付けて構成されており、納骨室１２の略全体が地面より上に設けられた地上式納骨室の墓となっている。なお、図上では、玉垣等の周囲部分や参道貼石など外柵の一部を省略して主に墓本体部分を示している。
【００３０】
本実施形態では、図１０、図１１にも示すように、墓本体部分では、地面上に設けられた土台６２上に立設された４つの柱部材６４の間に前後左右の壁１８〜２１が配置されて内部に納骨室１２を形成している。納骨室１２の上方はスラブ石によって形成される天壁２２で閉鎖されている。天壁２２の上に下台石部３０、上台石部３２、仏石３４が下から順番に配置されている。天壁２２上の下台石部３０の前方側には、花立４０と香立４２がそれぞれ設置されている。
【００３１】
本実施形態では、前壁１８は、両開き（観音開き）状の扉体６６からなり、納骨室１２の前面側を開閉自在としている。扉体６６は、それぞれ柱部材側の端部において上下に突出した枢軸６６ａを上下の石部材に設けられた凹部に嵌合されており、該枢軸６６ａ周りに回動自在となっている。扉体６６は、閉鎖された状態で扉止め６８によって閉鎖状態が保持されるとともに、施錠装置７０により施錠される。
【００３２】
本実施形態では、図７、図１０に示すように、下部換気孔１４は、前壁１８を構成する扉体６４の下部側に穿孔されている。一方、上部換気孔１６は左右及び後側の壁１９、２０、２１の上部側に穿孔されている。すなわち、本実施形態では、納骨室１２を囲む周壁の１つの壁に下部換気孔１４が設けられるとともに、他の壁に上部換気孔１６が設けられている。さらに、図９、図１０図１１に示すように、左右及び後面側の壁１９、２０、２１の上部側に上部換気孔１６と同じ高さ位置に採光用窓部６１が設けられている。
【００３３】
本実施形態の墓の納骨室の換気構造１０−２でも上記実施形態同様に、納骨室１２内と外部とを連通する下部換気孔１４と上部換気孔１６とが上下の高さが異なる位置でかつ平面視で対向位置を含む異なる側面位置に設けられていることにより、納骨室１２内に空気が滞りにくく、効率良い自然換気の促進を期待でき、長期間に亘って墓の納骨室内を良い環境に維持できる。なお、地上式納骨室の墓の態様であっても、第１実施形態同様に、上台石に上部換気孔１６を設けて通気路を介して納骨室１２と内部連通させる構成としてもよい。また、下部換気孔１４、上部換気孔１６の個数は納骨室の大きさや立地条件又は見栄え等に応じて任意に設定してもよい。
【００３４】
以上説明した本考案の墓の納骨室の換気構造は、上記した実施形態のみの構成に限定されるものではなく、実用新案登録請求の範囲に記載した本考案の本質を逸脱しない範囲において、任意の改変を行ってもよい。
【産業上の利用可能性】
【００３５】
本考案の墓の納骨室の換気構造は、納骨室を備えた墓に好適に利用できる。
【符号の説明】
【００３６】
１    墓
１０    墓の納骨室の換気構造
１２    納骨室
１４    下部換気孔
１６    上部換気孔
１８〜２１    周壁
２２    天壁
３０    下台石部
３２    上台石部
３４    仏石
４４    通孔
４６    通気路
４８    通気路
５０    カバー部材
５２    連通穴
５４    孔
６１    採光用窓部
６６    扉体
【図１】
0003194023.tif 000003
【図２】
0003194023.tif 000004
【図３】
0003194023.tif 000005
【図４】
0003194023.tif 000006
【図５】
0003194023.tif 000007
【図６】
0003194023.tif 000008
【図７】
0003194023.tif 000009
【図８】
0003194023.tif 000010
【図９】
0003194023.tif 000011
【図１０】
0003194023.tif 000012
【図１１】
0003194023.tif 000013